(57)【要約】  【課題】  ペットサークル内の雄犬の小便がペットサークル外へ飛び散ることを防ぐ板である飛沫防止板をペットサークルに設ける場合において、犬に圧迫感を与えることなく、通風を確保でき、さらに、犬が飛沫防止板を噛むことができないようにすることを課題とする。  【解決手段】  ペットサークルにおいて、表面の外縁に渡って中央部よりも高くなった堤部を有する平板体からなるトレーと、前記トレーの前記堤部の内側に設置される一定範囲を囲う柵からなるサークル本体と、板状体であって、下縁が前記堤部と前記柵との間に位置し、上縁が前記柵から離れるように、前記サークル本体外周の所定位置に斜めに配置される飛沫防止板とを設ける。【選択図】  図１
2007020531.tif 000002
【特許請求の範囲】
【請求項１】
表面の外縁に渡って中央部よりも高くなった堤部を有する平板体からなるトレーと、
前記トレーの前記堤部の内側に設置される一定範囲を囲う柵からなるサークル本体と、  
板状体であって、下縁が前記堤部と前記柵との間に位置し、上縁が前記柵から離れるように、前記サークル本体外周の所定位置に斜めに配置される飛沫防止板と
を有するペットサークル。
【請求項２】
前記飛沫防止板は透明な板により形成される請求項1に記載のペットサークル。
【請求項３】
前記飛沫防止板は下縁において前記柵側へ回動可能に形成される請求項１又は２に記載のペットサークル。
【請求項４】
請求項１から４のいずれか１項に記載の飛沫防止板。
【発明の詳細な説明】
【技術分野】
【０００１】
本発明は室内でペットサークルで囲って雄犬を飼う際に雄犬の小便がサークル外に飛び散ることを防ぐ飛沫防止板及び飛沫防止板を有するペットサークルに関する。
【背景技術】
【０００２】
雄犬を室内でペットサークルを用いて飼う場合、通常はペット用トイレをサークル内に設置したり、ペットシーツをサークル内に敷き詰めたりする。しかし、トイレをサークル内に設置するとトイレの枠部を犬が噛んで壊したり、破片を飲み込んでしまうなどの問題がある。また、ペットシーツをサークル内に敷き詰めても雄犬の場合は側方に小便を飛ばすのでペットサークルの外へ尿が飛散してしまう問題が生じる。
これに対して、下記特許文献１に記載のペットトイレのようにペットサークルの壁面部に尿をサークル内のペットシーツ上へ導く板を設けることが考えられる。これは垂直な板体の途中に内側に向うように配置された別の板を設けたものであり、尿がこの板を伝って内側のペットシーツ上へ導かれるようになっている。
【特許文献１】特開２００４−２５４７０１号公報
【発明の開示】
【発明が解決しようとする課題】
【０００３】
しかし、上記特許文献１に示すように小便の飛沫を防止する板をペットサークルの柵面に垂直に設ける場合、板を高くすると、犬に圧迫感を与え、通風が悪くなってしまい、板を低くすると板の上部を噛んでしまうという問題が生じる。
本発明は、このような問題に鑑みて、ペットサークル内の雄犬の小便がペットサークル外へ飛び散ることを防ぐ板である飛沫防止板をペットサークルに設ける場合において、犬に圧迫感を与えることなく、通風を確保でき、さらに、犬が飛沫防止板を噛むことができないようにすることを課題とする。
【課題を解決するための手段】
【０００４】
上記課題を解決するために、本発明は次のような構成を有する。
請求項１に記載の発明は、表面の外縁に渡って中央部よりも高くなった堤部を有する平板体からなるトレーと、前記トレーの前記堤部の内側に設置される一定範囲を囲う柵からなるサークル本体と、板状体であって、下縁が前記堤部と前記柵との間に位置し、上縁が前記柵から離れるように、前記サークル本体外周の所定位置に斜めに配置される飛沫防止板とを有するペットサークルである。
請求項２に記載の発明は、前記ペットサークルにおいて、前記飛沫防止板は透明な板により形成されるものである。
請求項３に記載の発明は、前記ペットサークルにおいて、前記飛沫防止板は下縁において前記柵側へ回動可能に形成されるものである。
請求項４に記載の発明は、請求項１から４のいずれか１項に記載の飛沫防止板である。
【発明の効果】
【０００５】
請求項１に記載の発明は、トレーの堤部より内側にペットシーツを敷くことで、雄犬が小便を飛沫防止板に掛けても斜めになった飛沫防止板を伝ってペットシーツへ尿を導くことができ、また、上縁は柵から離れているので、犬が噛むことを防止することができ、さらに、上縁が噛まれる心配がないので、飛沫防止板の高さを下げて圧迫感を低減し、通風を確保することもできる。
請求項２に記載の発明は、飛沫防止板を透明な板とすることで、犬に対する圧迫感をさらに低減することができる。
請求項３に記載の発明は、飛沫防止板を下縁において柵側へ回動可能にすることで、飼い主が犬をサークルから抱き上げる等、サークル内に対する作業をする場合、飛沫防止板を柵側へ回動させることにより飛沫防止板が邪魔になることがない。
請求項４に記載の発明は、ペットサークルに取り付けることで上記のような効果を奏することができる。
【発明を実施するための最良の形態】
【０００６】
以下、本発明の実施形態について、図面を参照しながら説明する。
図１に本実施形態に係る飛沫防止板付きペットサークルＸの斜視図を示す。本飛沫防止板付きペットサークルＸは、サークル本体１０と、トレー２０と、飛沫防止板３０とから構成される。
サークル本体１０は、合成樹脂がコーティングされたスチール製の金網により形成される柵であり、上面と下面とが開放した直方体の箱状に形成される。サークル本体１０の各面を構成する柵の下方において横に伸びる線材のほぼ中央には、後述する保持鎖３３の基端が固定されている。また、サークル本体１０の４角にはゴム製の脚が固定されている。
トレー２０は合成樹脂により形成される長方形状の板体であり、トレー２０の外縁部には全周に渡って、中央部よりも高くなった堤部２１が形成される。この堤部２１により囲まれる凹部２２の大きさは前記サークル本体１０の外形よりもやや大きな長方形状に形成され、前記サークル本体１０はこの凹部２２の上に載置される。なお、使用に際しては、吸水体を内部に内包するシートから構成される市販のペットシートがこの凹部２２内に敷かれる。
【０００７】
飛沫防止板３０は、サークル本体１０の下縁とトレー２０の堤部２１との間に下縁が位置するように設置される板状体であり、ここでは、サークル本体１０の４側面のすべてに設置される。図２に飛沫防止板３０近傍の飛沫防止板中央位置における拡大縦断面図を示す。なお、図２ではペットシートが敷かれた状態を示している。飛沫防止板３０は、透明な合成樹脂性の板により形成される防止板本体３１と、防止板本体３１の下縁に数箇所固定されるサークル本体１０の各柵の最下端において水平に延びる線材に回動可能に係合する係合部３２と、防止板本体３１の上縁部とサークル本体１０の各柵の下方において横に伸びる線材とを連結する保持鎖３３とから構成される。飛沫防止板３１の高さはサークル内部に入れると想定される雄犬に応じて適宜定められる。
係合部３２は、弾性力のある２枚の長方形状の金属板を防止板本体３１を挟むようにネジとナットにより固定したものであり、先端に向って、互いの金属板の距離が係合する線材の直径よりやや広い状態から、当該線材の直径よりも狭くなるようになっており、さらに先端に向ってやや互いの距離が広がるように形成されている。このように形成されることにより、係合部３２の先端を係合させる線材に押し付けると、係合部３２を形成する金属板は弾性力により広がり、線材が内部に位置すると再び閉じることで図２に示すような状態となり、係合部３２は線材に係合する。係合部３２を線材から離す場合は逆に力を加えて引張り上げればよい。
保持鎖３３は、一端がリング３３ａによりサークル本体１０の下方近傍の横に伸びる線材のほぼ中央に固定されており、他端には、フック３３ｂが設けられている。また、防止板本体１０の上部中央にはフック３３ｂが係合できる穴３１ａが設けられており、図２に示すように、この穴３１ａにフック３３ｂを引っ掛けることにより防止板本体３１の上縁部は一定距離をおいてサークル本体１０と連結されることになり、飛沫防止板３０は、下縁部から上方に向って、サークル本体１０の柵から離れるように斜めに保持されることになる。
【０００８】
次に、以上のような構成を有する飛沫防止板付きペットサークルＸの使用方法について説明する。まず、使用者は、トレー２０の凹部２２に市販のペットシートを敷き詰める。次に、この上にサークル本体１０を載置する。なお、この際、ペットシートとサークル本体１０の間に凹部２２とほぼ同じ大きさの金網を挟むことが望ましい。こうすると、サークル内の犬がペットシートを齧ることを防ぐことができる。これにより、図１のような状態となるので、サークル本体１０内に雄犬を入れる。飛沫防止板３０の上縁はサークル本体１０より離れているので、雄犬に齧られる心配はない。時間が立つと雄犬は小便をするが、習性により飛沫防止板３０に向って小便を行う。飛沫防止板３０に当たった尿は飛沫防止板３０を伝って斜め下方へ滑りペットシートが敷かれたトレー２０の凹部２２内へと流れてペットシートに吸収される。なお、飛沫防止板３０は長方形状であるので、サークル本体１０の四隅に飛沫防止板３０が存在しない隙間ができるが、犬の体の構造と習性からサークル本体１０の角部分に小便が飛ぶことはない。使用者が、サークル本体１０内から犬を出したり、サークル本体１０内に対して作業をする場合は、脚を飛沫防止板３０を当てながらサークル本体１０側へ移動すると、自然に飛沫防止板３０はサークル本体１０側へ回動し邪魔になることはない。また、飛沫防止板３０を清掃する等により取り外す場合は、飛沫防止板３０の防止板本体３１上方の穴３１ａより、保持鎖３３のフック３３ｂをはずし、全体を上方へ引き上げることで、係合部３２のサークル本体１０の線材への係合がはずれ、飛沫防止板３０をサークル本体１０より取り外すことができる。取り付けの際は、逆の操作を行い、係合部３２をサークル本体１０の下縁の線材に当接させながら押しつけることで係合部３２を当該線材に係合させ、その後、保持鎖３３のフック３３ｂを防止板本体３１の穴３１ａに掛ければよい。
以上のように、本飛沫防止板付きペットサークルＸは雄犬の小便が外部に飛び散ることを防ぐことができるとともに、飛沫防止板３０をサークル内の犬により齧られることがなく、また、飛沫防止板３０がサークル本体１０より離れているので、圧迫感がなく、飛沫防止板３０の高さも低く抑えることができるので、サークル本体内の通風も確保することができる。さらに、飛沫防止板３０を透明の板とすることで、犬への圧迫感をさらに低減するとともに、外から犬がよく見えるので糞をした時など、内部の状況を把握することが容易である。また、飛沫防止板３０をサークル本体１０に取り付けることで、飛沫防止板３０を取り外すことなくサークル本体１０を持ち上げて横に置き、トイレシーツの交換等、トレー２０に対する作業を行うことができる。
【０００９】
なお、上記実施形態では、飛沫防止板３０は下縁部において着脱可能かつ回動可能に固定されているが、必ず時も着脱できるようにする必要はなく、回動せずに斜めに保持された状態のままでもよい。また、飛沫防止板３０を斜めに保持するために、上記実施形態では保持鎖を用いたが、これも、紐や鋼製の線材などでもよく、下縁部において斜めに保持されるように固定してもよい。さらに、飛沫防止板３０の下縁部３０の係合方法も任意であり、フックにより引っ掛けるようにしてもよく、単に、サークル本体の外縁に当接するように置くだけでもよい。
【図面の簡単な説明】
【００１０】
【図１】実施形態に係る飛沫防止板付きペットサークルの斜視図である。
【図２】飛沫防止板近傍の飛沫防止板中央位置における拡大縦断面図である。
【符号の説明】
【００１１】
Ｘ      飛沫防止板付きペットサークル
１０    サークル本体
２０    トレー
２１    堤部
２２    凹部
３０    飛沫防止板
３１    防止板本体
３２    係合部
３３    保持鎖
【図１】
2007020531.tif 000003
【図２】
2007020531.tif 000004